(57)【要約】      （修正有）【課題】背負って歩き続けても、汗で蒸れることがなく、容量及びデザイン面で制限を受けないバックを提供する。【解決手段】背負った時に背中に当たる背面部分１と肩に当たる部分２は、冷感ファブリックで構成されており、冷感ファブリックは、ポリエステルよりも公定水分率が高いナイロン素材からなり、かつ身体との接触面積が大きい扁平断面で織り込まれている。【選択図】図２
0003212024.tif 000002
【実用新案登録請求の範囲】
【請求項１】
背負った時に背中に当たる背面部分と肩に当たる部分は、冷感ファブリックで構成されており、
前記冷感ファブリックは、ポリエステルよりも公定水分率が高いナイロン素材からなり、かつ身体との接触面積が大きい扁平断面で織り込まれている、バック。
【考案の詳細な説明】
【技術分野】
【０００１】
本考案は、バッグにおいて、特に夏季においてクール感が持続する好適なバックに関するものである。
【背景技術】
【０００２】
従来、夏季において、背負った時に背中に当たる背面部分(以下、バックパネルと呼ぶことがある。)と、肩に当たる部分(以下、ショルダーハーネスと呼ぶことがある。)は、バックを背負って歩き続けていると、気が付いたら汗でビショビショになっていることがある。
特に、暑い国に滞在するバックパッカーは、汗で蒸れないようにするために、該当する部分をメッシュ仕様のものを選んで用いている（特許文献１）。
【０００３】
従来のバックは別個独立の保冷材等を挿入するポケットを設けることで、背負った時に背中に当たる前記背面部分を冷却する方法が提案されている(特許文献２)。
【先行技術文献】
【特許文献】
【０００４】
【特許文献１】実用新案登録第３１０６３５７号
【特許文献２】実用新案登録第３００７８４４号
【考案の概要】
【考案が解決しようとする課題】
【０００５】
しかしながら従来の特許文献２のバッグは、別個独立の保冷材を用いているため、その効果は保冷材の命運にかかわることになり、また別個独立の保冷材の重量をも発生することから、バックの必要な容量とも関連して、必ずしも十分なものとはいえない。
また従来の特許文献１のバックは、メッシュの部分を身体に当たる部分として接触面積を可及的に小さくして汗で蒸れないようにしているから、デザイン上制限せざるを得ない。
【０００６】
本考案の目的は、背負って歩き続けても、汗で蒸れることがなく、容量及びデザイン面で制限を受けないバックを提供するところにある。
【課題を解決するための手段】
【０００７】
前記課題を解決するため、本願考案バックは、背負った時に背中に当たる背面部分と肩に当たる部分は、冷感ファブリックで構成し、
前記冷感ファブリックは、ポリエステルよりも公定水分率が高いナイロン糸からなり、かつ身体との接触面積が大きい扁平断面で織り込まれていることを特徴としている。
【考案の効果】
【０００８】
本願考案にかかわるバックは、背負った時に背中に当たる背面部分と肩に当たる部分には冷感ファブリックで構成し、前記冷感ファブリックは、ポリエステルよりも公定水分率が高いナイロン糸からなり、かつ身体との接触面積が大きい扁平断面で織り込まれているから、この冷感ファブリックにより、ポリエステルより公定水分率が高いナイロン素材からなっており、ナイロン素材が吸湿性を発揮し、及び扁平断面で織り込まれていることから身体との接触面積が大きく、発生した身体の熱の移動を大きくし、効果的に熱を逃がすことができる。さらにナイロン素材であることから、吸汗速乾性に優れている。
従って、背負った時に背中に当たる背面部分と肩に当たる部分は、吸汗速乾性に優れていることから、本考案のバックはクール感が持続する。
また更に、ナイロン素材であり、身体との接触面積が大きい扁平断面で織り込まれているから、冷感ファブリックとして自由にデザインできるのでデザイン面で制約を受けることはない。
【図面の簡単な説明】
【０００９】
【図１】本考案の一実施形態を示すバッグの背面図である。
【図２】同バッグの肩に当たる部分が裏返しになるように、ショルダーハーネスのベルト部分を最も大きくした状態を示す使用状態図である。
【図３】同バッグを背負った状態を示した左側面図である。
【考案を実施するための形態】
【００１０】
図１は本考案の一実施形態を示すバッグの背面図である。図２は同バッグの肩に当たる部分が裏返しになるように、ショルダーハーネスのベルト部分を最も大きくした状態を示す使用状態図である。図３は同バッグを背負った状態を示した左側面図である。
【００１１】
図１〜３において、背負った時に背中に当たる背面部分１と肩に当たる部分２、２は、冷感ファブリック３の背面部分１と冷感ファブリック３の肩に当たる部分２で構成されている。冷感ファブリックの背面部分１は、縫合されている。冷感ファブリックの肩に当たる部分２は、縫合されている。
ここで冷感ファブリック３は、ポリエステルよりも公定水分率が高いナイロン素材からなり、かつ身体との接触面積が大きい扁平断面となる様に織り込まれている。
【００１２】
従って、本願考案の冷感ファブリックは、ポリエステルより公定水分率が高いナイロン素材からなることからナイロン素材が吸湿性を発揮し、及び扁平断面で織り込まれていることから身体との接触面積が大きく、発生した身体の熱の移動を大きくし、効果的に熱を逃がす。さらにナイロン素材であることから、吸汗速乾性に優れている。
従って、背負った時に背中に当たる背面部分と肩に当たる部分は、吸汗速乾性に優れていることから、本考案のバックはクール感が持続する。
従って、本願考案のバックは、冷感ファブリックで構成されていることから、背負って歩き続けても、汗で蒸れることがなく、容量が十分とれるバックを提供できる。
【００１３】
ところで本バックはこの考案に限定されるものではない。本考案のバックは、従来の特許文献２のバッグと異なり、別個独立の保冷材を用いていないため、その効果は保冷材の命運にかかわることなく、クール感が持続し達成される。また、従来の特許文献２のバッグと異なり、背負った時に背中に当たる背面部分と肩に当たる部分のみに重量が発生するため、保冷材自体の重量は発生しないことから、その分バックの容量を考慮する必要がない。また従来の特許文献１のバックと異なり、汗で蒸れないようにするためにメッシュ部分の存否を特に考慮する必要がなくなる。
【００１４】
この考案にかかる冷感ファブリックは、限定されるものではないが、具体的には東洋紡社製「icepoint」を用いることが好ましい。
【００１５】
以上の通り、本願考案にかかわるバックは、背負った時に背中に当たる背面部分と肩に当たる部分には冷感ファブリックで構成し、前記冷感ファブリックは、ポリエステルよりも公定水分率が高いナイロン糸からなり、かつ身体との接触面積が大きい扁平断面で織り込まれているから、この冷感ファブリックにより、ポリエステルより公定水分率が高いナイロン素材からなっており、ナイロン素材が吸湿性を発揮し、及び扁平断面で織り込まれていることから身体との接触面積が大きく、発生した身体の熱の移動を大きくし、効果的に熱を逃がすことができる。さらにナイロン素材であることから吸汗速乾性に優れている。
従って、背負った時に背中に当たる背面部分と肩に当たる部分は、吸汗速乾性に優れていることから、本考案のバックはクール感が持続する。また更に、ナイロン素材であり、身体との接触面積が大きい扁平断面で織り込まれているから、冷感ファブリックとして自由にデザインできることのでデザイン面で制約を受けることはない。
【符号の説明】
【００１６】
１      背面部分
２      肩に当たる部分
３      冷感ファブリック
【図１】
0003212024.tif 000003
【図２】
0003212024.tif 000004
【図３】
0003212024.tif 000005